(57)【要約】【課題】照明器具に取り付けている直管型ＬＥＤランプの取り外しができないようにする。【解決手段】直管型ＬＥＤランプの口金に沿うサドルバンド２と、サドルバンド２とともに直管型ＬＥＤランプの口金の周囲に締結されるホルダ体３と、サドルバンド２とホルダ体３とを締結するねじ部材４とを備える。ホルダ体３は、照明器具のソケットに対する回り止めとなるガイド体１３と突出部１４と、リブ１０により形成される凹部の開口部を開閉するカバー１２とを有し、カバー１２はねじ部材４の頭部が収納される凹部の周縁部に係止する係止爪１２ａを有し、その係止爪１２ａの係止によりカバー１２が凹部の開口部を閉塞状態で開閉不能に保持されるようにした。【選択図】図１
2014093182.tif 000002
【特許請求の範囲】
【請求項１】
直管型ＬＥＤランプの口金から管軸方向に突き出す端子を、照明器具のソケットに形成された差し込み溝に管軸直交方向へ差し込み、管軸周りに回転してソケットに装着される直管型ＬＥＤランプに取り付けられ、前記直管型ＬＥＤランプの口金に沿うサドルバンドと、そのサドルバンドとともに前記直管型ＬＥＤランプの口金の周囲に締結されるホルダ体と、前記サドルバンドとホルダ体とを締結するねじ部材とを備え、前記ホルダ体は、前記ソケットに対する回り止め部と、前記ねじ部材の頭部が収納される凹部と、その凹部の開口部を開閉するカバーとを有し、そのカバーは前記凹部の周縁部に係止する係止部を有し、その係止部の係止により前記カバーが前記凹部の開口部を閉塞状態で開閉不能に保持されるようにしたランプホルダ。
【請求項２】
前記ホルダ体が前記管軸直交方向への突出部を有し、その突出部が前記ホルダ体に対して前記管軸方向の一方に突き出る位置に前記ソケットの差し込み溝に差し込み可能に形成され、前記突出部が前記回り止め部である請求項１に記載のランプホルダ。
【請求項３】
前記ホルダ体がガイド体を有し、そのガイド体が前記ホルダ体に対して前記管軸方向の一方に突き出る位置に前記ソケットの外周部に沿う状態に形成され、前記ガイド体が前記回り止め部である請求項１または２に記載のランプホルダ。
【請求項４】
直管型ＬＥＤランプの一端側の口金の端子を、照明器具の可動側のソケットの端子挿入穴に押し込み、他端側の口金の端子を、前記可動側のソケットに対向配置される固定側のソケットの端子挿入穴に押し込んで装着される直管型ＬＥＤランプに取り付けられ、前記直管型ＬＥＤランプの口金に沿うサドルバンドと、そのサドルバンドとともに前記直管型ＬＥＤランプの口金の周囲に締結されるホルダ体と、前記サドルバンドとホルダ体とを締結するねじ部材とを備え、前記ホルダ体は、前記ねじ部材の頭部が収納される凹部と、その凹部の開口部を開閉するカバーとを有し、そのカバーは前記凹部の周縁部に係止する係止部を有し、その係止部の係止により前記カバーが前記凹部の開口部を閉塞状態で開閉不能に保持されるようにしたランプホルダ。
【発明の詳細な説明】
【技術分野】
【０００１】
この発明は、照明器具に装着する直管型ＬＥＤランプに取り付けるランプホルダに関する。
【背景技術】
【０００２】
近年、ＬＥＤの技術は飛躍的に進歩しており、高輝度で利用範囲の広いものが出現しており、蛍光灯の代替として高輝度のＬＥＤが照明装置として用いられている。そして、蛍光灯の中でも直管型蛍光灯の代替として直管型ＬＥＤランプが普及しつつある。
【０００３】
この直管型ＬＥＤランプは、長尺状の矩形基板の表面に光源であるＬＥＤを多数並べて搭載したＬＥＤ基板を透明（または半透明）の円筒形の収納管内に収納し、ＬＥＤ基板と電気的に接続した２本のピン状の端子を備えた口金を収納管の両端部に固定したものである。
【０００４】
このような直管型ＬＥＤランプは、口金の端子が、従来から使用されている直管型蛍光灯の端子と同一規格であるので、その端子を直管型蛍光灯用の照明器具のソケットの端子挿入穴に押し込んで装着（突き合せ式）したり、端子をソケットの溝に差し込み、管軸周りに約９０度回し込んで装着（回し込み式）したりすることで直管型蛍光灯と同様に使用することができる。
【０００５】
この直管型ＬＥＤランプは、収納管内にＬＥＤ基板やその制御回路等を収納することから、従来の直管型蛍光灯と比較して重量が増加する。このため、上記の照明器具のソケットから端子が外れ、直管型ＬＥＤランプが落下することがある。
【０００６】
そこで、直管型ＬＥＤランプの落下を防止するものとして、直管型ＬＥＤランプの端部の口金を跨ぐように差し込んで挟持する断面Ｕ字状の挟持部材と、その挟持部材の中央部から分岐され、照明器具のソケットの外側を直管型ＬＥＤランプ側に押し付けるソケット支持部とが一体に形成されたランプホルダが提案されている（例えば、特許文献１）。
【０００７】
このランプホルダにより、照明器具のソケットが直管型ＬＥＤランプ側に押し付けられるとともに、直管型ＬＥＤランプが挟持部材により挟持されるため、上記の回し込み式により装着された直管型ＬＥＤランプのソケットに対する回転が規制される。
【０００８】
また、ソケット支持部が常時ソケットの外側面を直管型ＬＥＤランプ側に押し付けるので、上記の突き合せ式により装着された直管型ＬＥＤランプの軸方向の移動を規制することができる。
【先行技術文献】
【特許文献】
【０００９】
【特許文献１】特開２０１１−３４９０８号  公報
【発明の概要】
【発明が解決しようとする課題】
【００１０】
ところで、従来の直管型蛍光灯が取り付けられるソケットを備え、そのソケットから給電する照明器具は、直管型ＬＥＤランプの取り付けの際、一般に、安定器を取り外す工事が必要であり、そのような工事を行わない場合には、グローランプ方式、ラピッドスタータ方式等に対応する専用回路を搭載する直管型ＬＥＤランプを適用する必要があった。
【００１１】
安定器を取り外した構造の照明器具においては、使用者が直管型ＬＥＤランプを交換するときに、誤って直管型蛍光灯を装着した場合、フィラメントに過大な電圧が印加され、直管型蛍光灯が破損したり、電源がショートしたりする恐れがある。
【００１２】
従来の安定器を備えた構造の照明器具においては、その照明器具の上記方式に対応した専用回路を搭載する直管型ＬＥＤランプを装着する必要があり、方式の異なる直管型ＬＥＤランプを装着した場合、電源のショートや発火事故が生じる恐れがある。
【００１３】
このような問題を解決し、安全性を確保する観点から、従来の直管型蛍光灯が取り付けられるソケットを備え、そのソケットから給電する直管型ＬＥＤランプ用の照明器具は、電気用品安全法の対象となり、適正に取り付けられた直管型ＬＥＤランプを使用者が取り外しできない構造であることが必要となった。
【００１４】
しかしながら、特許文献１に記載のランプホルダを利用した照明器具は、使用者がそのランプホルダを引き抜くことにより、容易に取り外しができるものであるため、使用者により直管型ＬＥＤランプの取り外しが可能となり、安全性が確保できない。
【００１５】
そこで、この発明の課題は、照明器具に取り付けている直管型ＬＥＤランプの取り外しができないようにするランプホルダを提供することである。
【課題を解決するための手段】
【００１６】
前記の課題を解決するために、この発明に係るランプホルダは、直管型ＬＥＤランプの口金から管軸方向に突き出す端子を、照明器具のソケットに形成された差し込み溝に管軸直交方向へ差し込み、管軸周りに回転してソケットに装着される直管型ＬＥＤランプに取り付けられ、前記直管型ＬＥＤランプの口金に沿うサドルバンドと、そのサドルバンドとともに前記直管型ＬＥＤランプの口金の周囲に締結されるホルダ体と、前記サドルバンドとホルダ体とを締結するねじ部材とを備え、前記ホルダ体は、前記ソケットに対する回り止め部と、前記ねじ部材の頭部が収納される凹部と、その凹部の開口部を開閉するカバーとを有し、そのカバーは前記凹部の周縁部に係止する係止部を有し、その係止部の係止により前記カバーが前記凹部の開口部を閉塞状態で開閉不能に保持されるようにした構成を採用したのである。
【００１７】
これにより、照明器具のソケットに管軸周りに回転して装着された直管型ＬＥＤランプの口金にサドルバンドとホルダ体とをねじ部材により締結すると、ホルダ体の回り止め部によりソケットに対して直管型ＬＥＤランプの管軸周りの回転が規制され、直管型ＬＥＤランプを管軸周りに回転させてソケットから取り出すことができない。
【００１８】
そして、ホルダ体の凹部の開口部をカバーにより閉塞し、その凹部の周縁部に係止部を係止すると、カバーは凹部の開口部を閉塞状態で開閉不能に保持されるため、サドルバンドとホルダ体とを締結するねじ部材の頭部がカバーにより覆われ、ねじ部材を緩めることができない。
【００１９】
前記ホルダ体が前記管軸直交方向への突出部を有し、その突出部が前記ホルダ体に対して前記管軸方向の一方に突き出る位置に前記ソケットの差し込み溝に差し込み可能に形成され、前記突出部が前記回り止め部である構成を採用することができる。
【００２０】
この構成では、照明器具のソケットに装着される直管型ＬＥＤランプの口金にサドルバンドとホルダ体とが締結され、ホルダ体の突出部がソケットの差し込み溝に差し込まれると、直管型ＬＥＤランプを管軸方向に回転させようとしたとき、突出部が差し込み溝の溝壁に突き当たるため、ソケットに対して直管型ＬＥＤランプの管軸周りの回転が規制される。
【００２１】
また、前記ホルダ体がガイド体を有し、そのガイド体が前記ホルダ体に対して前記管軸方向の一方に突き出る位置に前記ソケットの外周部に沿う状態に形成され、前記ガイド体が前記回り止め部である構成を採用することができる。
【００２２】
この構成では、照明器具のソケットに装着される直管型ＬＥＤランプの口金にサドルバンドとホルダ体とが締結されると、ホルダ体のガイド体がソケットの外周部に沿う状態となり、直管型ＬＥＤランプを管軸方向に回転させようとしたとき、ガイド体がソケットの外周部に突き当たるため、ソケットに対して直管型ＬＥＤランプの管軸周りの回転が規制される。
【００２３】
前記の課題を解決するために、この発明に係るランプホルダは、直管型ＬＥＤランプの一端側の口金の端子を、照明器具の可動側のソケットの端子挿入穴に押し込み、他端側の口金の端子を、前記可動側のソケットに対向配置される固定側のソケットの端子挿入穴に押し込んで装着される直管型ＬＥＤランプに取り付けられ、前記直管型ＬＥＤランプの口金に沿うサドルバンドと、そのサドルバンドとともに前記直管型ＬＥＤランプの口金の周囲に締結されるホルダ体と、前記サドルバンドとホルダ体とを締結するねじ部材とを備え、前記ホルダ体は、前記ねじ部材の頭部が収納される凹部と、その凹部の開口部を開閉するカバーとを有し、前記カバーは前記凹部の周縁部に係止する係止部を有し、その係止部の係止により前記カバーが前記凹部の開口部を閉塞状態で開閉不能に保持されるようにした構成を採用したのである。
【００２４】
これにより、照明器具の可動側のソケットに装着される直管型ＬＥＤランプの口金にサドルバンドとホルダ体とをねじ部材により締結すると、サドルバンドとホルダ体とにより、直管型ＬＥＤランプの可動側のソケットに向かう管軸方向への移動が規制され、直管型ＬＥＤランプを管軸方向に移動させて可動側のソケットから取り出すことができない。
【００２５】
そして、ホルダ体の凹部の開口部をカバーにより閉塞すると、カバーは凹部の開口部を閉塞状態で開閉不能に保持するため、サドルバンドとホルダ体とを締結するねじ部材の頭部がカバーにより覆われ、ねじ部材を緩めることができない。
【発明の効果】
【００２６】
この発明のランプホルダは、直管型ＬＥＤランプの口金に固定されたサドルバンドとホルダ体を締結するねじ部材を回転不能とすることにより、サドルバンドとホルダ体の締結状態を保持し、直管型ＬＥＤランプの管軸周りの回転、または管軸方向の移動を規制して、照明器具のソケットから直管型ＬＥＤランプを取り外し不能とすることができる。
【図面の簡単な説明】
【００２７】
【図１】この発明の第１実施形態に係るランプホルダの分解斜視図
【図２】同上のランプホルダの分解斜視図
【図３】（ａ）同上のサドルバンドを示す平面図、（ｂ）同上のサドルバンドを示す正面図、（ｃ）同上のサドルバンドを示す側面図、（ｄ）同上のサドルバンドを示す底面図
【図４】（ａ）同上のホルダ体を示す平面図、（ｂ）同上のホルダ体を示す正面図、（ｃ）同上のホルダ体を示す側面図、（ｄ）同上のホルダ体を示す底面図
【図５】（ａ）直管型ＬＥＤランプに仮止めされた状態を示すランプホルダの正面図、（ｂ）直管型ＬＥＤランプの口金に締結された状態を示すランプホルダの正面図
【図６】（ａ）図５（ａ）のＡ−Ａ線における断面図、（ｂ）図５（ｂ）のＢ−Ｂ線における断面図、（ｃ）図６（ｂ）のＣ−Ｃ線における断面図
【図７】この発明の第２実施形態に係るランプホルダの分解斜視図
【図８】同上のランプホルダの分解斜視図
【図９】（ａ）同上のホルダ体を示す平面図、（ｂ）同上のホルダ体を示す正面図、（ｃ）同上のホルダ体を示す側面図、（ｄ）同上のホルダ体を示す底面図
【図１０】（ａ）直管型ＬＥＤランプに仮止めされた状態を示すランプホルダの正面図、（ｂ）直管型ＬＥＤランプの口金に締結された状態を示すランプホルダの正面図
【図１１】（ａ）図１０（ａ）のＤ−Ｄ線における断面図、（ｂ）図１０（ｂ）のＥ−Ｅ線における断面図
【発明を実施するための形態】
【００２８】
以下、この発明の第１実施形態に係るランプホルダを図１〜図６に基づいて説明する。
このランプホルダ１は、直管型ＬＥＤランプの両端に設けられる口金の周りに取り付けられる。取り付け可能な直管型ＬＥＤランプ４０としては、図５（ａ）、（ｂ）に示すように、その口金４１の管軸方向に突き出すピン状の端子４２を、照明器具４３のソケット４４に形成された差し込み溝４５に管軸直交方向へ差し込み、管軸周りに回し込んでソケット４４に装着されるタイプ（回し込み式）に適用される。
【００２９】
このランプホルダ１は、図１、２に示すように、直管型ＬＥＤランプ４０の口金４１の一部を取り囲む円弧部５を有するサドルバンド２と、サドルバンド２とともに直管型ＬＥＤランプ４０の口金４１に締結するホルダ体３と、サドルバンド２とホルダ体３とを締結するねじ部材４を備えている。
【００３０】
サドルバンド２は、帯状の金属板から形成され、円弧部５と、円弧部５の両端部に一体に形成される締結部６とを有する。各締結部６は、円弧部５に対して外向きにかつ互いに反対向きとなるように配置されている。
【００３１】
円弧部５は、その内面が直管型ＬＥＤランプ４０の口金４１の外周面に沿う円筒面に形成され、その内面に滑り止め突起５ａが幅方向の両側縁に沿って複数並んで切り起こしにより形成されている。各締結部６にねじ孔７が設けられ、サドルバンド２の外周縁に補強フランジ２ａが形成されている。
【００３２】
ホルダ体３は、合成樹脂から形成され、断面円弧状をなす帯状の円弧部８と、円弧部８の両端部に一体に形成される板状の受け部９とを有する。円弧部８の受け部９寄りの両側に係合孔８ａが形成され、円弧部８の内周面に幅方向に延びる突条８ｂが周方向に複数並んで形成されている。
【００３３】
両受け部９は、円弧部８に対して外向きにかつ互いに反対向きとなるように配置されている。受け部９の中央にはねじ部材４が挿通される長孔９ａが形成され、受け部９の円弧部８側を除く外周縁にリブ１０が形成されている。
【００３４】
リブ１０は受け部９に対して円弧部８が突き出す側に形成され、その突出高さはねじ部材４の頭部の高さよりも高く形成されている。このリブ１０及び円弧部８により受け部９に凹部１１が形成される。リブ１０のうち円弧部８に対して反対側部分は、円弧部８の幅方向両側部分よりも、後述するカバー１２の厚さ分突出高さが低くなっており、カバー１２により凹部１１の開口部が閉塞される状態で、円弧部８の幅方向両側のリブ１０とカバー１２の表面（リブ１０の突き出し方向を向く面）が同一平面上に位置する。
【００３５】
リブ１０のうち円弧部８に対して反対側部分にカバー１２が可撓性を有する連結部１０ａを介して取り付けられている。カバー１２は、円弧部８の係合孔８ａに係止する係止爪１２ａを有し、連結部１０ａを折り曲げて凹部１１の開口部を開閉する。係止爪１２ａは、カバー１２に対して連結部１０ａと反対向きに突き出して形成され、カバー１２の前記表面と連続する平坦面を有している。
【００３６】
カバー１２により連結部１０ａを折り曲げて凹部１１の開口部を閉塞する際、係止爪１２ａは、円弧部８の外周に沿って弾性変形し、円弧部８の係合孔８ａに嵌まり込むことで、弾性復元して係合孔８ａに係止する。
【００３７】
この係止状態においては、係合孔８ａの内面（リブ１０の突き出し方向の内側面）が平坦に形成されており、係止爪１２ａの平坦面と係合孔８ａの平坦な内面とが接しているため、カバー１２に対して開く方向への力が作用しても、係止爪１２ａがほとんど撓むことなく抜け止めとなって、カバー１２が開閉不能状態に保持される。
【００３８】
円弧部８の幅方向の一方に突き出る位置に円弧状のガイド体１３がホルダ体３の円弧部５に沿って一体に形成されている。ガイド体１３は、直管型ＬＥＤランプ４０が装着された照明器具４３のソケット４４の先端部から両側面部にかけて跨ぎ、ソケット４４の外周部に沿わせることができるように形成されている。このガイド体１３は、ソケット４４の側面部に突き当たり、直管型ＬＥＤランプ４０の回転を規制する回り止め部として機能する（図５参照）。
【００３９】
また、円弧部８に対して幅方向の一方に突き出る位置に突出部１４が形成されている。この突出部１４は、ガイド体１３の周方向中央の内面に配置され、直管型ＬＥＤランプ４０が装着された照明器具４３のソケット４４の差し込み溝４５に嵌め合い可能に形成されている。この突出部１４は、ソケット４４の差し込み溝４５に嵌り合い、直管型ＬＥＤランプ４０の回転を規制する回り止め部として機能する（図６参照）。
【００４０】
なお、この第１実施形態では、ガイド体１３及び突出部１４が形成されているが、いずれか一方を形成してもよい。ガイド体１３及び突出部１４が形成されることにより、直管型ＬＥＤランプ４０の回転を確実に規制することができる
【００４１】
この第１実施形態のランプホルダ１は、以上のように構成され、以下、その使用方法を図５、６に基づいて説明する。
【００４２】
まず、図５（ａ）に示すように、直管型ＬＥＤランプ４０の収納管の周りに、サドルバンド２と、ホルダ体３とを沿わせて、ねじ部材４によりサドルバンド２とホルダ体３とを仮止めする。このとき、ホルダ体３は、ガイド体１３が口金４１の端子４２側となるようにかつ、照明器具４３に対して反対側に配置する。
【００４３】
その後、サドルバンド２とホルダ体３とを仮止めした直管型ＬＥＤランプ４０の端子４２を照明器具４３のソケット４４の差し込み溝４５に管軸直交方向へ差し込み（図５（ａ）一点鎖線参照）、管軸周りに回し込み、直管型ＬＥＤランプ４０をソケット４４に装着する。
【００４４】
この装着状態で、サドルバンド２及びホルダ体３を直管型ＬＥＤランプ４０の口金４１へ向かって管軸方向に移動させて、ホルダ体３の突出部１４の一部をソケット４４の差し込み溝４５に差し込み（図６（ａ）参照）、かつ、ガイド体１３をソケット４４の外周部に沿わせる。
【００４５】
続いて、ねじ部材４をねじ込んで本締めして、サドルバンド２及びホルダ体３を直管型ＬＥＤランプ４０の口金４１に固定する（図５（ｂ）参照）。固定されたホルダ体３のガイド体１３は、ソケット４４の外周部に沿う状態となるため、直管型ＬＥＤランプ４０を回転しようとしても、ソケット４４の外周部に突き当たり、その回転を規制する。
【００４６】
また、図６（ｃ）に示すように、ホルダ体３の突出部１４は、ソケット４４の差し込み溝４５に差し込まれているため、直管型ＬＥＤランプ４０を回転しようとしても、ソケット４４の差し込み溝４５の溝壁に突き当たり、その回転を規制する。
【００４７】
サドルバンド２及びホルダ体３が直管型ＬＥＤランプ４０の口金４１に固定され、かつガイド体１３及び突出部１４により、直管型ＬＥＤランプ４０の回転が規制されたことを確認した後、ホルダ体３のカバー１２を閉じて、係止爪１２ａを係合孔８ａに係止する。
【００４８】
この係止により、図６（ｂ）に示すように、ホルダ体３の凹部１１の開口部がカバー１２により閉塞され、凹部１１内に収納されたねじ部材４の頭部がカバー１２で確実に覆われるので、ねじ部材４の回転操作ができなくなる。
【００４９】
また、カバー１２は、係止爪１２ａと係合孔８ａとの係止によって、凹部１１の開口部を閉塞状態で開閉不能に保持される。このため、使用者がカバー１２を開き、ねじ部材４の回転操作をすることを防止することができる。
【００５０】
この発明の第２実施形態に係るランプホルダ１を図７〜図１１に基づいて説明する。
なお、以下においては、前述した第１実施形態に係るランプホルダとの相違点のみを述べ、同一に考えられる構成には同符号を用いて、その説明を省略する。
この第２実施形態のホルダ体３´は、図７〜図９に示すように、前述した第１実施形態のホルダ体３でのガイド体１３及び突出部１４を有していないものである。
【００５１】
また、ホルダ体３´は、合成樹脂から形成され、断面円弧状をなす帯状の円弧部８と、円弧部８の両端部に一体に形成される板状の受け部９とを有し、円弧部８の内面にすべり止めとなる突条８ｂが周方向に複数形成されている。
【００５２】
この第２実施形態に係るランプホルダ１が取り付け可能な直管型ＬＥＤランプ４０としては、図１０（ａ）、（ｂ）に示すように、直管型ＬＥＤランプ４０の一端側の口金４１のピン状の端子４２を、照明器具４３の可動側のソケット４４ａの端子挿入穴４６に押し込み、他端側の口金（図示省略）のピン状の端子を、可動側のソケット４４ａに対向配置される固定側のソケット（図示省略）の端子挿入穴に押し込んで装着されるもの（突き合せ式）に適用される。
【００５３】
この第２実施形態でのホルダ３´を使用するランプホルダ１の使用方法を、図１０、１１に基づいて説明する。
【００５４】
まず、図１０（ａ）に示すように、直管型ＬＥＤランプ４０の収納管の周りに、サドルバンド２と、ホルダ体３´とを沿わせて、ねじ部材４によりサドルバンド２とホルダ体３´とを仮止めする。このとき、図１０（ａ）に示すように、ホルダ体３´は照明器具４３に対して反対側に配置する。
【００５５】
その後、サドルバンド２とホルダ体３´とを仮止めした直管型ＬＥＤランプ４０の一端側の口金４１の端子４２を、照明器具４３の可動側のソケット４４ａに備えた端子挿入穴４６に差し込み、その一端側の口金４１を可動側のソケット４４ａに向かって押し付ける。
【００５６】
さらに、一端側の口金４１を押し付けて、他端側の口金（図示省略）の端子を、可動側のソケット４４ａに対向配置される固定側のソケット（図示省略）の端子挿入穴に押し込んで直管型ＬＥＤランプ４０を可動側４４ａ及び固定側のソケットに装着する。
【００５７】
この装着状態で、図１０（ｂ）に示すように、サドルバンド２及びホルダ体３´を直管型ＬＥＤランプ４０の一端側の口金４１へ向かって管軸方向に移動させ、サドルバンド２及びホルダ体３´を可動側のソケット４４ａに突き当てる。
【００５８】
続いて、ねじ部材４を締め付けて本締めし、サドルバンド２及びホルダ体３´を直管型ＬＥＤランプ４０の一端側の口金４１に固定する。このとき、直管型ＬＥＤランプ４０を可動側のソケット４４ａに向かって管軸方向に移動させようとしても、サドルバンド２及びホルダ体３´が可動側のソケット４４ａに突き当たり、その移動を規制する。
【００５９】
サドルバンド２及びホルダ体３´が直管型ＬＥＤランプ４０の口金４１に固定され、かつサドルバンド２及びホルダ体３´により、直管型ＬＥＤランプ４０の移動が規制されたことを確認した後、ホルダ体３のカバー１２を閉じて、係止爪１２ａを係合孔８ａに係止する（図１１（ｂ）参照）。
【００６０】
この係止により、前述の第１実施形態のランプホルダの場合と同様に、ホルダ体３の凹部１１の開口部がカバー１２により閉塞され、凹部１１内に収納されたねじ部材４の頭部がカバー１２で確実に覆われるので、ねじ部材４の回転操作ができなくなる。
【００６１】
また、カバー１２は、係止爪１２ａと係合孔８ａとの係止によって、凹部１１の開口部を閉塞状態で開閉不能に保持される。このため、使用者がカバー１２を開き、ねじ部材４の回転操作をすることを防止することができる。
【符号の説明】
【００６２】
１  ランプホルダ
２  サドルバンド
２ａ  補強フランジ
３  ホルダ体
３´  ホルダ体
４  ねじ部材
５  円弧部
５ａ  すべり止め突起
６  締結部
７  ねじ孔
８  円弧部
８ａ  係合孔
８ｂ  突条
９  受け部
９ａ  貫通孔
１０  リブ
１１  凹部
１２  カバー
１２ａ  係止爪
１３  ガイド体
１４  突出部
４０  直管型ＬＥＤランプ
４１  口金
４２  端子
４３  照明器具
４４  ソケット
４５  差し込み溝
４６  端子挿入穴
【図１】
2014093182.tif 000003
【図２】
2014093182.tif 000004
【図３】
2014093182.tif 000005
【図４】
2014093182.tif 000006
【図５】
2014093182.tif 000007
【図６】
2014093182.tif 000008
【図７】
2014093182.tif 000009
【図８】
2014093182.tif 000010
【図９】
2014093182.tif 000011
【図１０】
2014093182.tif 000012
【図１１】
2014093182.tif 000013